(57)【要約】【課題】防音効果に優れ、特に、上階側の部屋からの騒音が下階側の部屋へ伝達し難い、家屋または木造家屋の防音構造の提供。【解決手段】下階側天井材である天井プラスタボード１５との間に隙間を残して、床根太１１を除く上階側床材である床合板１３の下面に、止め金具１９を用いて吸音材グラスウール２２を密着固定する防音施工を行った木造家屋Ａは、防音効果に優れ、２階の部屋からの騒音が下階側の部屋へ伝搬し難くなる。【選択図】図１
2005264715.tif 000002
【特許請求の範囲】
【請求項１】
複数の、梁、根太、壁と、
前記根太の上に張られる上階側床材と、
該上階側床材から下方へ所定距離離れた位置に設けられる下階側天井材と、
その他の構造部材とを組み付けた家屋の防音構造であって、
前記下階側天井材との間に隙間を残して、前記根太を除く上階側床材の下面に吸音材を密着固定したことを特徴とする家屋の防音構造。
【請求項２】
複数の、梁、根太、壁と、
前記根太の上に張られる上階側床材と、
該上階側床材から下方へ所定距離離れた位置に設けられる下階側天井材と、
その他の構造部材とを組み付けた木造家屋の防音構造であって、
前記下階側天井材との間に隙間を残して、前記根太を除く上階側床材の下面に吸音材を密着固定したことを特徴とする木造家屋の防音構造。
【請求項３】
複数の、梁、根太、壁と、
前記根太の上に張られる上階側床材と、
該上階側床材から下方へ所定距離離れた位置に設けられる下階側天井材と、
その他の構造部材とを組み付けた木造家屋の防音構造であって、
前記上階側床材の下面に複数取り付けた止め金具を用い、前記下階側天井材との間に隙間を残して、前記根太を除く上階側床材の下面に吸音材を密着固定したことを特徴とする木造家屋の防音構造。
【請求項４】
前記止め金具は、複数の穴を穿設した板状部と、この板状部の略中央から延設する折り曲げ可能な棒状部とからなり、この板状部の接着面に塗布した接着剤で前記上階側床材の下面に複数貼着することを特徴とする請求項３に記載の木造家屋の防音構造。
【請求項５】
前記止め金具は、複数の穴を穿設した板状部と、この板状部の略中央から延設する折り曲げ可能な先端錐状の棒状部と、この棒状部が挿通可能な挿通穴を中央に開けた押さえ板とからなり、前記板状部の接着面に塗布した接着剤で前記上階側床材の下面に複数貼着することを特徴とする請求項３に記載の木造家屋の防音構造。
【請求項６】
前記止め金具は、フランジ付の木ねじ部と、外周の一部にねじを形成した先端錐状の棒状部と、前記棒状部が挿通可能な挿通穴を中央に開けた押さえ板と、前記棒状部の前記ねじに螺合し、前記押さえ板をフランジ方向に移動させるためのナットとからなり、前記木ねじ部を前記上階側床材の下面にねじ込んで取り付けることを特徴とする請求項３に記載の木造家屋の防音構造。
【請求項７】
前記止め金具は、複数の刃を設けた刃付き板状部と、この刃付き板状部の略中央から延設する折り曲げ可能な先端錐状の棒状部と、この棒状部が挿通可能な挿通穴を中央に開けた押さえ板とからなり、前記刃付き板状部の前記刃を前記上階側床材の下面に食い込ませて取り付けることを特徴とする請求項３に記載の木造家屋の防音構造。
【請求項８】
部屋間の壁および内外壁を、石膏ボードや構造用合板を隙間を開けて二枚対向配置して形成するとともに、隙間内に吸音材を装入したことを特徴とする請求項３乃至請求項７の何れかに記載の木造家屋の防音構造。
【請求項９】
前記吸音材は、ガラスを溶融して繊維化したグラスウールであることを特徴とする請求項３乃至請求項８の何れかに記載の木造家屋の防音構造。
【請求項１０】
複数の、梁、根太、壁と、
前記根太の上に張られる上階側床材と、
該上階側床材から下方へ所定距離離れた位置に設けられる下階側天井材と、
その他の構造部材とを組み付けた木造家屋の防音施工方法であって、
複数の穴を穿設した板状部、およびこの板状部の略中央から延設し折り曲げ可能な棒状部からなる止め金具を、前記板状部の接着面に接着剤を塗布して前記上階側床材の下面に複数貼着する第１の施工工程と、
根太間に嵌め込み可能な大きさの吸音材を前記上階側床材の下面に押し当て、前記吸音材を貫通した前記止め金具の前記棒状部を折り曲げる第２の施工工程とを実施し、
下階側天井材との間に隙間を残して、前記根太を除く上階側床材の下面に、前記吸音材を密着固定することを特徴とする木造家屋の防音施工方法。
【請求項１１】
複数の、梁、根太、壁と、
前記根太の上に張られる上階側床材と、
該上階側床材から下方へ所定距離離れた位置に設けられる下階側天井材と、
その他の構造部材とを組み付けた木造家屋の防音施工方法であって、
複数の穴を穿設した板状部、この板状部の略中央から延設する折り曲げ可能な先端錐状の棒状部、およびこの棒状部が挿通可能な挿通穴を中央に開けた押さえ板からなる止め金具を、前記板状部の接着面に接着剤を塗布して前記上階側床材の下面に複数貼着する第１施工工程と、
根太間に嵌め込み可能な大きさの吸音材を前記上階側床材の下面に押し当て、前記吸音材を貫通した前記棒状部に前記押さえ板の前記挿通穴を挿通させた後に折り曲げる第２施工工程とを実施し、
前記下階側天井材との間に隙間を残して、前記根太を除く上階側床材の下面に、前記吸音材を密着固定することを特徴とする木造家屋の防音施工方法。
【発明の詳細な説明】
【技術分野】
【０００１】
本発明は、家屋の防音技術に関する。
【背景技術】
【０００２】
床パネルの上面に防音体を形成して騒音対策を施した建物用床装置が特許文献１に開示されている。
【０００３】
また、浮き天井方式の天井裏（１階）に、グラスウール等の吸音材を載置して騒音対策を施した家屋も公知である。
【特許文献１】特開平６−４９９７７号公報
【発明の開示】
【発明が解決しようとする課題】
【０００４】
しかし、上記の技術は、下記に示す課題を有する。
【０００５】
特許文献１の建物用床装置は、上階側の床面が防音体であるので、床の強度が弱く、見栄えや感触も良くない。
【０００６】
また、上記公知技術は、吸音材の材料代や作業代がかかる割りには防音効果が小さい。  
【０００７】
本発明の第１の目的は、防音効果に優れ、特に、上階側の部屋からの騒音が下階側の部屋へ伝達し難い、家屋または木造家屋の防音構造の提供にある。
【０００８】
本発明の第２の目的は、上階側床材の下面への吸音材の密着固定を容易に行える、木造家屋の防音構造の提供にある。
【０００９】
本発明の第３の目的は、防音効果に優れ、施工が容易な、木造家屋の防音施工方法の提供にある。
【課題を解決するための手段】
【００１０】
〔請求項１について〕
家屋は、複数の、梁、根太、壁と、根太の上に張られる上階側床材と、この上階側床材から下方へ所定距離離れた位置に設けられる下階側天井材と、その他の構造部材とを組み付けてなる。
【００１１】
そして、家屋は、下階側天井材との間に隙間を残して、根太を除く上階側床材の下面に吸音材を密着固定する防音対策を施している。
〔請求項２について〕
木造家屋は、複数の、梁、根太、壁と、根太の上に張られる上階側床材と、この上階側床材から下方へ所定距離離れた位置に設けられる下階側天井材と、その他の構造部材とを組み付けてなる。
【００１２】
そして、木造家屋は、下階側天井材との間に隙間を残して、根太を除く上階側床材の下面に吸音材を密着固定する防音対策を施している。
〔請求項３について〕
木造家屋は、複数の、梁、根太、壁と、根太の上に張られる上階側床材と、この上階側床材から下方へ所定距離離れた位置に設けられる下階側天井材と、その他の構造部材とを組み付けてなる。
【００１３】
そして、木造家屋は、下階側天井材との間に隙間を残して、根太を除く上階側床材の下面に、上階側床板材の下面に複数取り付けた止め金具を用いて吸音材を密着固定する防音対策を施している。
〔請求項４について〕
木造家屋の防音構造に用いる止め金具は、複数の穴を穿設した板状部と、この板状部の略中央から延設する折り曲げ可能な棒状部とからなる。
【００１４】
そして、板状部の接着面に塗布した接着剤で上階側床材の下面に止め金具を複数貼着する。
〔請求項５について〕
木造家屋の防音構造に用いる止め金具は、複数の穴を穿設した板状部と、この板状部の略中央から延設する折り曲げ可能な先端錐状の棒状部と、この棒状部が挿通可能な挿通穴を中央に開けた押さえ板とからなる。
【００１５】
そして、板状部の接着面に塗布した接着剤で上階側床材の下面に止め金具を複数貼着する。
〔請求項６について〕
木造家屋の防音構造に用いる止め金具は、フランジ付の木ねじ部と、外周の一部にねじを形成した先端錐状の棒状部と、棒状部が挿通可能な挿通穴を中央に開けた押さえ板と、棒状部のねじに螺合し、押さえ板をフランジ方向に移動させるためのナットとからなる。
〔請求項７について〕
木造家屋の防音構造に用いる止め金具は、複数の刃を設けた刃付き板状部と、この刃付き板状部の略中央から延設する折り曲げ可能な先端錐状の棒状部と、この棒状部が挿通可能な挿通穴を中央に開けた押さえ板とからなる。
【００１６】
そして、刃付き板状部の刃を上階側床材の下面に食い込ませて止め金具を複数取り付ける。
〔請求項８について〕
防音構造の木造家屋は、部屋間の壁および内外壁を、石膏ボードや構造用合板を隙間を開けて二枚対向配置して形成するとともに、隙間内に吸音材を装入している。
【００１７】
つまり、この木造家屋は、下階側天井材との間に隙間を残して、根太を除く上階側床材の下面に吸音材を密着固定する防音対策と、部屋間の壁および内外壁の隙間内に吸音材を装入する防音対策とを施している。
〔請求項９について〕
吸音材は、ガラスを溶融して繊維化したグラスウールである。
〔請求項１０について〕
木造家屋は、複数の、梁、根太、壁と、根太の上に張られる上階側床材と、この上階側床材から下方へ所定距離離れた位置に設けられる下階側天井材と、その他の構造部材とを組み付けてなり、以下の工程で防音施工を行う。
【００１８】
複数の穴を穿設した板状部、およびこの板状部の略中央から延設し折り曲げ可能な棒状部からなる止め金具を、板状部の接着面に接着剤を塗布して上階側床材の下面に複数貼着する（第１の施工工程）。なお、板状部に穿設した複数の穴は、接着面に止め金具を接着する際に余分な接着剤を排出するために設けられている。
【００１９】
根太間に嵌め込み可能な大きさの吸音材を上階側床材の下面に押し当てることにより、止め金具の棒状部が吸音材を貫通して吸音材の下面に露出する。吸音材の下面に露出した棒状部を折り曲げる（第２の施工工程）。
【００２０】
これにより、下階側天井材との間に隙間を残して、根太を除く上階側床材の下面に、吸音材が密着固定される。
〔請求項１１について〕
木造家屋は、複数の、梁、根太、壁と、根太の上に張られる上階側床材と、この上階側床材から下方へ所定距離離れた位置に設けられる下階側天井材と、その他の構造部材とを組み付けてなり、以下の工程で防音施工を行う。
【００２１】
複数の穴を穿設した板状部、この板状部の略中央から延設する折り曲げ可能な先端錐状の棒状部、およびこの棒状部が挿通可能な挿通穴を中央に開けた押さえ板からなる止め金具を、板状部の接着面に接着剤を塗布して上階側床材の下面に複数貼着する（第１施工工程）。なお、板状部に穿設した複数の穴は、接着面に止め金具を接着する際に余分な接着剤を排出するために設けられている。
【００２２】
根太間に嵌め込み可能な大きさの吸音材を上階側床材の下面に押し当てることにより、止め金具の棒状部が吸音材を貫通して吸音材の下面に露出する。この吸音材を貫通した棒状部に押さえ板の挿通穴を挿通させた後に折り曲げる（第２施工工程）。
【００２３】
これにより、下階側天井材との間に隙間を残して、根太を除く上階側床材の下面に、吸音材が密着固定される。
【発明の効果】
【００２４】
〔請求項１について〕
家屋は、下階側天井材との間に隙間を残して、根太を除く上階側床材の下面に吸音材を密着固定する防音対策を施しているので、上階側床材へ伝導した２階の部屋の騒音は、吸音材で吸収され、下階側天井材との間の隙間の空気層への放散を防止できる。
【００２５】
このため、２階の部屋の騒音が１階の部屋へ伝わり難くなり、１階の部屋での静かな居住環境が得られる。
【００２６】
なお、下階側天井材の上側に吸音材を配する（密着固定も含む）構成であると、上階側床材へ伝導した２階の部屋の騒音が隙間の空気層へ放散されるので、吸音材に達する前に、構造材（梁、側根太、壁等）を介して騒音が１階の部屋へ伝わってしまう。
〔請求項２について〕
木造家屋は、下階側天井材との間に隙間を残して、根太を除く上階側床材の下面に吸音材を密着固定する防音対策を施しているので、上階側床材へ伝導した２階の部屋の騒音は、吸音材で吸収され、下階側天井材との間の隙間の空気層への放散を防止できる。
【００２７】
このため、２階の部屋の騒音が１階の部屋へ伝わり難くなり、１階の部屋での静かな居住環境が得られる。
【００２８】
なお、下階側天井材の上側に吸音材を配する（密着固定も含む）構成であると、上階側床材へ伝導した２階の部屋の騒音が隙間の空気層へ放散されるので、吸音材に達する前に、構造材（梁、側根太、壁等）を介して騒音が１階の部屋へ伝わってしまう。
〔請求項３について〕
木造家屋は、上階側床材の下面に複数取り付けた止め金具を用い、下階側天井材との間に隙間を残して、根太を除く上階側床材の下面に吸音材を密着固定する防音対策を施しているので、上階側床材へ伝導した２階の部屋の騒音は、吸音材で吸収され、下階側天井材との間の隙間の空気層への放散を防止できる。
【００２９】
このため、２階の部屋の騒音が１階の部屋へ伝わり難くなり、１階の部屋での静かな居住環境が得られる。
【００３０】
なお、下階側天井材の上側に吸音材を配する（密着固定も含む）構成であると、上階側床材へ伝導した２階の部屋の騒音が隙間の空気層へ放散されるので、吸音材に達する前に、構造材（梁、側根太、壁等）を介して騒音が１階の部屋へ伝わってしまう。
〔請求項４について〕
止め金具は、複数の穴を穿設した板状部と、この板状部の略中央から延設する折り曲げ可能な棒状部とからなり、板状部の接着面に塗布した接着剤により上階側床材の下面に複数貼着する構造である。
【００３１】
このため、下階側天井材との間に隙間を残して、根太を除く上階側床材の下面に、吸音材を、容易に密着固定することができる。なお、接着剤により止め金具を上階側床材に貼着する構成であるので、上階側床材が薄い場合でも、止め金具が上階側床材の上面に突き出ることがない。
〔請求項５について〕
止め金具は、複数の穴を穿設した板状部と、この板状部の略中央から延設する折り曲げ可能な先端錐状の棒状部と、この棒状部が挿通可能な挿通穴を中央に開けた押さえ板とからなり、板状部の接着面に塗布した接着剤で上階側床材の下面に複数貼着する構造である。  棒状部が先端錐状であるので、吸音材を上階側床材の下面に押し当てると、止め金具の棒状部が吸音材を貫通するので容易に施工を行うことができる。
【００３２】
また、吸音材を貫通した止め金具の棒状部に押さえ板の挿通穴を挿通した棒状部を折り曲げる際に、押さえ板を介して吸音材が押えられるので、押圧性に優れるとともに、吸音材の裂損を防止できる。
【００３３】
これにより、下階側天井材との間に隙間を残して、根太を除く上階側床材の下面に、吸音材を、容易に密着固定することができる。なお、接着剤により止め金具を上階側床材に貼着する構成であるので、上階側床材が薄い場合でも、止め金具が上階側床材の上面に突き出ることがない。
〔請求項６について〕
止め金具は、フランジ付の木ねじ部と、外周の一部にねじを形成した先端錐状の棒状部と、棒状部が挿通可能な挿通穴を中央に開けた押さえ板と、棒状部のねじに螺合し、押さえ板をフランジ方向に移動させるためのナットとからなり、木ねじ部を上階側床材の下面にねじ込んで取り付ける構造である。
【００３４】
先ず、上階側床材の下面へ木ねじ部をねじ込み、止め金具を複数取り付ける。この際、フランジで止まるので木ねじ部のねじ込み量は、所定長となる。
【００３５】
つぎに、吸音材を上階側床材の下面に押し当て、棒状部を貫通させる。
【００３６】
そして、吸音材を貫通した棒状部に、押さえ板の挿通穴を挿通させ、棒状部のねじにナットを螺合させる。
【００３７】
棒状部が先端錐状であるので、吸音材を上階側床材の下面に押し当てると、止め金具の棒状部が吸音材を容易に貫通するので容易に施工を行うことができる。
【００３８】
また、吸音材を貫通した止め金具の棒状部に押さえ板の挿通穴を挿通させた後に、棒状部のねじにナットを螺合させ、押さえ板を介して吸音材が押えられるので、押圧性に優れるとともに、吸音材の裂損を防止できる。
【００３９】
これにより、下階側天井材との間に隙間を残して、根太を除く上階側床材の下面に、吸音材を、容易に密着固定することができる。
【００４０】
なお、木ねじ部で止め金具を上階側床材に取り付ける構成であるので、上階側床材の厚みが、木ねじ部の長さを越えることが必要である。
〔請求項７について〕
止め金具は、複数の刃を設けた刃付き板状部と、この刃付き板状部の略中央から延設する折り曲げ可能な先端錐状の棒状部と、この棒状部が挿通可能な挿通穴を中央に開けた押さえ板とからなり、刃付き板状部の刃を上階側床材の下面に食い込ませて止め金具を複数取り付ける構造である。
【００４１】
先ず、上階側床材の下面へ刃を食い込ませ、止め金具を複数取り付ける。
【００４２】
つぎに、吸音材を上階側床材の下面に押し当て、棒状部を貫通させる。
【００４３】
そして、吸音材を貫通した棒状部を折り曲げれば、下階側天井材との間に隙間を残して、根太を除く上階側床材の下面に、吸音材を、容易に密着固定することができる。
【００４４】
棒状部が先端錐状であるので、吸音材を上階側床材の下面に押し当てると、止め金具の棒状部が吸音材を貫通するので容易に施工を行うことができる。
【００４５】
なお、刃付き板状部の刃を上階側床材の下面に食い込ませて止め金具を複数取り付けるる構成であるので、上階側床材の厚みが、刃の長さを越えることが必要である。
〔請求項８について〕
木造家屋は、下階側天井材との間に隙間を残して、根太を除く上階側床材の下面に吸音材を密着固定する防音対策の他に、部屋間の壁および内外壁の隙間内に吸音材を装入する防音対策を施しているので、上階からの騒音以外に、外からの騒音、隣の部屋からの騒音も低減することができる。
〔請求項９について〕
ガラスを溶融して繊維化したグラスウールを吸音材に用いているので、安全性が高く、且つ吸音効果に優れる。
〔請求項１０について〕
板状部の接着面に接着剤を塗布した止め金具を上階側床材の下面に複数貼着しておき、上階側床材の下面に吸音材を押し当てて、止め金具の棒状部を貫通させ、吸音材の下面に露出した棒状部を折り曲げているので、下階側天井材との間に隙間を残して、根太を除く上階側床材の下面に、吸音材を容易に密着固定することができる。
【００４６】
また、止め金具は、板状部に複数の穴が穿設されているので、上階側床材の下面に接着する際に余分な接着剤を排出することができ、止め金具を強固に上階側床材へ固定することができる。
〔請求項１１について〕
板状部の接着面に接着剤を塗布した止め金具を上階側床材の下面に複数貼着しておき、上階側床材の下面に吸音材を押し当てることにより、止め金具の棒状部を貫通させ、この貫通した棒状部に押さえ板の挿通穴を挿通させた後に折り曲げているので、下階側天井材との間に隙間を残して、根太を除く上階側床材の下面に、吸音材を容易に密着固定することができる。
【００４７】
吸音材を貫通した止め金具の棒状部に押さえ板の挿通穴を挿通した棒状部を折り曲げる際に、押さえ板を介して吸音材が押えられるので、押圧性に優れるとともに、吸音材の裂損を防止できる。
【００４８】
なお、止め金具は、板状部に複数の穴が穿設されているので、上階側床材の下面に接着する際に余分な接着剤を排出することができ、止め金具を強固に上階側床材へ固定することができる。
【発明を実施するための最良の形態】
【００４９】
木造家屋は、複数の、梁、根太、壁と、根太の上に張られる上階側床材と、この上階側床材から下方へ所定距離離れた位置に設けられる下階側天井材と、その他の構造部材（たて枠、側根太、床根太、床、たる木、屋根等）とを組み付けてなり、複数の止め金具を貼着した上階側床材の下面に吸音材を押し当て、吸音材を貫通した棒状部を折り曲げて、根太を除く下階側天井材の下面に密着固定する防音施工を施している。
【実施例１】
【００５０】
本発明の実施例１（請求項１、２、３、４、８、９、１０に対応）を図１〜図３に基づいて説明する。
【００５１】
二階建ての木造家屋Ａは、公知の枠組壁工法で建てられている。
【００５２】
１は鉄筋コンクリート打ちした基礎である。
【００５３】
２は基礎１に敷かれた土台（４０４規格）、３は梁（図示せず）と側根太４に４５５ピッチで組付けられる床根太（２０６規格）、５は床根太３の上面に接合した床合板（ｔ＝１５）、６は床合板５の上面に接合したフローリング（ｔ＝１９）である。
【００５４】
７、８は縦枠に接合した１階、２階の外壁であり、構造用合板（ＤＦＰ）で形成されている。
【００５５】
９、１０は１階、２階の部屋の内壁であり、石膏ボードで形成されている。
【００５６】
なお、ドアや窓は、図示していない。
【００５７】
１１は梁（図示せず）と側根太１２に４５５ピッチで組付けられる床根太（２１０規格）、１３は床根太１２の上面に接合した床合板（ｔ＝１５）、１４は床合板１３の上面に接合したフローリング（ｔ＝１９）である。
【００５８】
なお、１階の外壁７と１階の内壁９との間、２階の外壁８と２階の内壁１０との間、１階の内壁９と１階の内壁９との間、および２階の内壁１０と２階の内壁１０との間には隙間が形成されている。
【００５９】
１５は１階の部屋の天井を構成する、ビニールクロス貼りの天井プラスタボード（ｔ＝９）であり、１６は天井下地軽量鉄骨である。
【００６０】
本実施例の木造家屋Ａでは、上階側床材である床合板１３から下方へ所定距離離れた位置に、下階側天井材である天井プラスタボード１５が位置している。
【００６１】
１７は２階の部屋の天井を構成する、ビニールクロス貼りの天井プラスタボード（ｔ＝１２．５）である。また、１８は木造家屋Ａの屋根である。
【００６２】
図２に示す１９は止め金具であり、四個の穴ｎ（４φ）を穿設した円板状の板状部２０（０．２ｍｍ×２４φ）と、この板状部２０の中央から下方へ延設し、折り曲げ可能な棒状部２１（１．５φ×２５）とからなる。この止め金具１９は、塗装を行う際に、壁等に塗装剤が付着しない様にビニールシートを壁に張り付けるためのアルミニウム製の金具であり、通称、トンボと呼ばれる。
【００６３】
止め金具１９は、グラスウール２２を取り付けする前に、床根太１１を除く床合板１３の下面に、縦１５ｃｍ×横３０ｃｍ間隔で、ウレタン系の接着剤２４により複数個貼着される。そして、吸音材であるグラスウール２２を床合材１３の下面に押し当てて貫通させ、止め金具１９の棒状部２１を折り曲げて止め金具１９近傍のグラスウール２２を凹ませ、後述するグラスウール２２を床合材１３に固定している。これにより、床合板１３との間に隙間を残して、床根太１１を除く床合板１３の下面に、グラスウール２２が密着固定される。
【００６４】
なお、実施例１の二階建ての木造家屋Ａでは、グラスウール２２以外に、１階の外壁７と１階の内壁９との間、２階の外壁８と２階の内壁１０との間、１階の内壁９と１階の内壁９との間、および２階の内壁１０と２階の内壁１０との間の隙間にも別のグラスウール２５が装入されている。更に、天井プラスタボード１７の上方にも別のグラスウール２６が設置されている。
【００６５】
グラスウール２２、２５、２６は、ガラスを溶融して繊維化し、フェノール樹脂で結合したものであり、色が黄色である。
【００６６】
グラスウール２２、２５、２６は、密度が３２ｋｇ／ｍ3 、厚さが１００ｍｍのものであり、床根太１１間に嵌まる大きさを呈し、表面を防湿材で包囲したものである。
【００６７】
グラスウール２２は、床根太１１間に嵌まる大きさを呈し、グラスウール２５、壁間の隙間に嵌まる大きさを呈する。なお、グラスウール２２、２５、２６は、パッド状でもロール状のものでも良い。
【００６８】
つぎに、二階建ての木造家屋Ａの防音施工方法（１階−２階部分）について述べる。
（１）ウレタン系の接着剤２４を板状部２０の接着面に塗布した止め金具１９を、床根太１１を除く床合板１３の下面に、縦１５ｃｍ×横３０ｃｍ間隔で複数個貼着する。止め金具１９を貼着する際に、余分な接着剤２４は穴ｎから下方に排出する。
（２）接着剤２４が固化して、止め金具１９が床合板１３の下面に完全に接着すると、グラスウール２２を、床合材１３の下面に押し当てて止め金具１９の棒状部２１を貫通させる。なお、作業者が怪我をしない様に、止め金具１９がグラスウール２２を貫通する位置に×印が付けてある。また、作業者は、マスクを付け、防護用の手袋を嵌めてこの作業を行う。
（３）つぎに、貫通部位近傍のグラスウール２２を上方に押圧しながらグラスウール２２を貫通した棒状部２０を９０°折り曲げ、水平方向にする。
【００６９】
なお、棒状部２０が貫通すると防湿材に穴が空くので、接着剤２４等で貫通側をシールしても良い。また、グラスウール２２を押し当てる前に、板状部２０の反接着面側へ接着剤２４等を塗布しておいても良い。
【００７０】
つぎに、実施例１の利点を述べる。
〔ア〕下階側天井材である天井プラスタボード１５の上側にグラスウール２２を配する（密着固定も含む）構成であると、上階側床材である床合板１３へ伝導した２階の部屋の騒音が隙間の空気層へ放散されるので、グラスウール２２に達する前に、構造部材（梁、側根太、壁等）を介して騒音が１階の部屋へ伝わってしまう。
【００７１】
このため、昼間に２階で騒音を出し、グラスウール２２、２５無しで１階で６０ｄＢの騒音が測定される場合、上記構成であると、５０ｄＢ程度（１階での測定値）にしか落とすことができなかった。
【００７２】
しかし、木造家屋Ａは、下階側天井材である天井プラスタボード１５との間に隙間を残して、床根太１１を除く、上階側床材である床合板１３の下面にグラスウール２２を止め金具１９で固定し、且つ、壁間の隙間にグラスウール２５を装入している。
【００７３】
このため、床合板１３へ伝導した２階の部屋の騒音は、下面に固定したグラスウール２２で吸収され、天井プラスタボード１５との間の隙間の空気層への放散を防止できる。
【００７４】
このため、２階の部屋の騒音が１階の部屋へ伝わり難くなり、昼間に２階で騒音を出し、グラスウール２２、２５無しで１階で６０ｄＢの騒音が測定される場合、二重の騒音対策を施した木造家屋Ａでは、３０ｄＢ以下（１階での測定値）に落とすことができた。
〔イ〕板状部２０の接着面に接着剤２４を塗布した止め金具１９を床合板１３の下面に複数貼着しておき、床合板１３の下面にグラスウール２２を押し当てて、止め金具１９の棒状部２１を貫通させ、下面に露出した棒状部２１を折り曲げるという手順でグラスウール２２を床合板１３の下面に固定する構成であるので、作業者が比較的容易に防音工事を行うことができる。
【００７５】
なお、止め金具１９は、板状部２０に四個の穴が穿設されているので、床合板１３の下面に接着する際に余分な接着剤２４を排出することができ、止め金具１９を強固に床合板１３の下面へ固定することができる。
〔ウ〕止め金具１９がグラスウール２２を貫通する位置に×印を付け、且つ、作業者がマスクを付け、防護用の手袋を嵌めて作業を行うので、床合材１３の下面に押し当ててグラスウール２２を止め金具１９の棒状部２１に貫通させる際に、作業者の手に止め金具１９の棒状部２１が刺さり難く、安全に防音工事ができる。
【実施例２】
【００７６】
つぎに、本発明の実施例２（請求項１、２、３、５、８、９、１１に対応）を図４（図１も参照）に基づいて説明する。
【００７７】
図４に示す２７は止め金具であり、十二個の穴ｍ（２φ）を穿設した正方形の板状部２８（一辺２５ｍｍ、厚さ０．２ｍｍ）と、この板状部２８の中央から下方へ延設し、折り曲げ可能な棒状部２９（１．５φ×８０ｍｍ）と、棒状部２９が挿通可能な挿通穴３０を中央に開けた押さえ板３１とからなる。
【００７８】
この止め金具２７は、ダクト等に断熱材を取り付けるためのものであり、アルミニウム製の金具である。
【００７９】
止め金具２７は、実施例１と同様に、グラスウール２２を取り付けする前に、床根太１１を除く床合板１３の下面に、縦１５ｃｍ×横３０ｃｍ間隔で、ウレタン系の接着剤２４により複数個貼着される。
【００８０】
そして、吸音材であるグラスウール２２を床合材１３の下面に押し当てて貫通させ、押さえ板３１を貫通した棒状部２９に嵌め込む。
【００８１】
つぎに、押さえ板３１を上方に押し上げて止め金具２７近傍のグラスウール２２を凹ませ、棒状部２９を略の字状に折り曲げてグラスウール２２を床合材１３に固定する。
【００８２】
これにより、床合板１３との間に隙間を残して、床根太１１を除く床合板１３の下面に、グラスウール２２が密着固定される。
【００８３】
なお、上記防音施工を施した木造家屋は、実施例１の二階建ての木造家屋Ａと同様に、グラスウール２２以外に、１階の外壁７と１階の内壁９との間、２階の外壁８と２階の内壁１０との間、１階の内壁９と１階の内壁９との間、および２階の内壁１０と２階の内壁１０との間の隙間にも別のグラスウール２５を装入している。更に、天井プラスタボード１７の上方にも別のグラスウール２６を設置している。
【００８４】
グラスウール２２、２５、２６は、ガラスを溶融して繊維化し、フェノール樹脂で結合したものであり、色が黄色である。
【００８５】
グラスウール２２、２５、２６は、実施例１と同様に、密度が３２ｋｇ／ｍ3 、厚さが１００ｍｍのものであり、床根太１１間に嵌まる大きさを呈し、表面を防湿材で包囲したものである。
【００８６】
グラスウール２２は、床根太１１間に嵌まる大きさを呈し、グラスウール２５、壁間の隙間に嵌まる大きさを呈する。なお、グラスウール２２、２５、２６は、パッド状でもロール状のものでも良い。
【００８７】
つぎに、実施例２に係る二階建ての木造家屋の防音施工方法（１階−２階部分）について述べる。
（１）ウレタン系の接着剤２４を板状部２８の接着面に塗布した止め金具２７を、床根太１１を除く床合板１３の下面に、縦１５ｃｍ×横３０ｃｍ間隔で複数個貼着する。止め金具２７を貼着する際に、余分な接着剤２４は穴ｍから下方に排出する。
（２）接着剤２４が固化して、止め金具２７が床合板１３の下面に完全に接着すると、グラスウール２２を、床合材１３の下面に押し当てて止め金具２７の棒状部２９を貫通させる。なお、作業者が怪我をしない様に、止め金具２７がグラスウール２２を貫通する位置に×印が付けてある。また、作業者は、マスクを付け、防護用の手袋を嵌めてこの作業を行う。
（３）つぎに、板状部２８の接着面に接着剤２４を塗布して止め金具２７を床合板１３の下面に複数貼着する。
【００８８】
なお、床合板１３の下面に止め金具２７を接着する際に余分な接着剤２４が板状部２８の穴ｍから下方へ排出される。
（４）吸音材であるグラスウール２２を床合材１３の下面に押し当てて貫通させ、グラスウール２２を貫通した棒状部２９へ、押さえ板３１を嵌め込む。
（５）つぎに、押さえ板３１を上方に押し上げて止め金具２７近傍のグラスウール２２を凹ませ、棒状部２９を略の字状に折り曲げてグラスウール２２を床合材１３に固定する。  
【００８９】
つぎに、実施例２の利点を述べる。
〔エ〕下階側天井材である天井プラスタボード１５との間に隙間を残して、床根太１１を除く、上階側床材である床合板１３の下面にグラスウール２２を止め金具２７で固定し、且つ、壁間の隙間にグラスウール２５を装入した木造家屋は、床合板１３へ伝導した２階の部屋の騒音は、下面に固定したグラスウール２２で吸収され、天井プラスタボード１５との間の隙間の空気層への放散を防止できる。
【００９０】
このため、実施例１と同様に、２階の部屋の騒音が１階の部屋へ伝わり難くなり、昼間に２階で騒音を出し、グラスウール２２、２５無しで１階で６０ｄＢの騒音が測定される場合、二重の騒音対策を施した木造家屋では、３０ｄＢ以下（１階での測定値）に落とすことができた。
〔オ〕板状部２０の接着面に接着剤２４を塗布した止め金具２７を床合板１３の下面に複数貼着しておき、床合板１３の下面にグラスウール２２を押し当てて、止め金具２７の棒状部２９を貫通させ、グラスウール２２を貫通した棒状部２９へ押さえ板３１を嵌め込み、押さえ板３１を上方に押し上げて止め金具２７近傍のグラスウール２２を凹ませ、棒状部２９を略の字状に折り曲げてグラスウール２２を床合材１３に固定するという手順でグラスウール２２を床合板１３の下面に固定する構成であるので、作業者が比較的容易に防音工事を行うことができる。
【００９１】
なお、止め金具２７の棒状部２９は、先端錐状であるので、グラスウール２２を床合板１３の下面に押し当てると、止め金具２７の棒状部２９がグラスウール２２を貫通するので容易に施工を行うことができる。
【００９２】
また、止め金具２７は、板状部２０に十二個の穴ｍが穿設されているので、床合板１３の下面に接着する際に余分な接着剤２４を排出することができ、止め金具２７を強固に床合板１３の下面へ固定することができる。
〔カ〕止め金具２７がグラスウール２２を貫通する位置に×印を付け、且つ、作業者がマスクを付け、防護用の手袋を嵌めて作業を行うので、床合材１３の下面に押し当ててグラスウール２２を止め金具２７の棒状部２９に貫通させる際に、作業者の手に止め金具２７の棒状部２９が刺さり難く、安全に防音工事ができる。
〔キ〕押さえ板３１の挿通穴３０を挿通した止め金具２７の棒状部２９（グラスウール２２を貫通している）を折り曲げる際に、押さえ板３１を介してグラスウール２２が押えられるので、押圧性に優れるとともに、グラスウール２２の裂損を防止できる。
【００９３】
これにより、天井プラスタボード１５との間に隙間を残して、床根太１１を除く床合材１３の下面に、グラスウール２２を、容易に密着固定することができる。なお、接着剤２４により止め金具２７を床合板１３に貼着する構成であるので、床合板１３が薄い場合でも、止め金具２７が床合板１３の上面に突き出ることがない。
【００９４】
本発明は、上記実施例以外に、以下の実施態様を含む。
ａ．木造軸組工法を用いた木造住宅に適用しても良い。
ｂ．三階建ての木造家屋の場合には、２階側床材の下面以外に、３階側床材の下面にも吸音材を密着固定する構成が好ましい。
ｃ．グラスウール２２、２５、２６の厚さは、厚い程、防音効果が高く、コスト、重量、防音効果から鑑み、５０ｍｍ〜１５０ｍｍが好適である。
【００９５】
また、グラスウール以外の防音材を使用しても良い。
ｄ．止め金具１９は、板状部２０の厚さが０．１ｍｍ〜１ｍｍ、直径が２０φ〜４０φ、棒状部の長さが２５ｍｍ〜６０ｍｍが好適である。
ｅ．止め金具は、下記の構造のものを用いても良い。
【００９６】
また、図５の（ａ）、（ｂ）に示す如く、グラスウール２２を床合板１３に密着固定するための止め金具４０は、四個の刃４１（返し付）を設けた刃付き板状部４２と、この刃付き板状部４２の中央から延設する折り曲げ可能な先端錐状の棒状部４３と、この棒状部４３が挿通可能な挿通穴４４を中央に開けた押さえ板４５とからなる。そして、刃付き板状部４２の刃４１を上階側床材である床合板１３の下面に食い込ませて取り付ける（変形例１；請求項１、２、３、７に対応）。
【００９７】
図６に示す如く、グラスウール２２を床合板１３に密着固定するための止め金具３２は、フランジ３３付の木ねじ部３４と、外周の一部（先端を除く下部）にねじ３５を形成した先端錐状の棒状部３６と、棒状部３６が挿通可能な挿通穴３７を中央に開けた押さえ板３８と、棒状部３６のねじ３５に螺合し、押さえ板３８をフランジ３３方向に移動させるためのナット３９とからなる。そして、木ねじ部３４を上階側床材である床合板１３の下面にねじ込んで止め金具３２を取り付ける（変形例２；請求項１、２、３、６、９に対応）。
ｆ．床合板１３、フローリング１４、および床根太１１の組み付け構造に、防振吊具４６を用いても良い（図７参照）。
【図面の簡単な説明】
【００９８】
【図１】本発明の実施例１に係る木造家屋の断面図である。
【図２】その木造家屋の防音施工に用いる止め金具の斜視図である。
【図３】止め金具を用いてグラスウールを床合材の下面に貼り付ける様子を示す説明図である。
【図４】（ａ）は本発明の実施例２に係る木造家屋の防音施工に用いる止め金具の斜視図であり、（ｂ）はその止め金具を用いてグラスウールを床合材の下面に貼り付ける様子を示す説明図である。
【図５】（ａ）は変形例１に係る木造家屋の防音施工に用いる止め金具の斜視図であり、（ｂ）はその止め金具を用いてグラスウールを床合材の下面に貼り付けたところを示す説明図である。
【図６】変形例２に係る木造家屋の防音施工に用いる止め金具を用いてグラスウールを床合材の下面に貼り付けたところを示す説明図である。
【図７】床合板、フローリング、および床根太の組み付け構造を示す斜視図である。
【符号の説明】
【００９９】
Ａ  二階建ての木造家屋（家屋）
ｎ、ｍ  穴
３  根太
４  側根太（その他の構造部材）
７、８  外壁
９、１０  内壁
１２  床根太（その他の構造部材）
１３  床合板（上階側床材）
１５  天井プラスタボード（下階側天井材）
１８  屋根（その他の構造部材）
１９、２７、３２、４０  止め金具
２０、２８  板状部
２１、２９  棒状部
２２、２５  グラスウール（吸音材）
２４  接着剤
３０、３７、４４  挿通穴
３１、３８、４５  押さえ板
３３  フランジ
３４  木ねじ部  
３５  ねじ
３６、４３  棒状部
３９  ナット
４１  刃
４２  刃付き板状部
【図１】
2005264715.tif 000003
【図２】
2005264715.tif 000004
【図３】
2005264715.tif 000005
【図４】
2005264715.tif 000006
【図５】
2005264715.tif 000007
【図６】
2005264715.tif 000008
【図７】
2005264715.tif 000009